(57)【要約】【課題】電気光学装置の性能を向上させる。【解決手段】電気光学装置である表示装置ＤＳＰ１は、基板ＳＵＢ１、基板ＳＵＢ２および液晶層ＬＱを備え、且つ、表示領域ＤＡを備えるパネルＰＮＬと、表示領域ＤＡの内部に設けられた透明領域ＴＲＡと、透明領域ＴＲＡと表示領域ＤＡとの間に設けられた額縁領域ＦＲＡとを有する。バックライトユニットＢＬＵは、透明領域ＴＲＡと重ならないように、パネルＰＮＬの下方に設けられている。ベゼルＢＺは、透明領域ＴＲＡと重ならないように、バックライトユニットＢＬＵの下方に設けられている。カバー部材ＣＶＭは、透明領域ＦＲＡと重なるように、基板ＳＵＢ２の上方に設けられている。そして、ベゼルＢＺと異なる材料からなるキャップ膜ＣＰが、額縁領域ＦＲＡにおいて少なくともバックライトユニットＢＬＵの側方を覆っている。【選択図】図６
2020148793.tif 000002
【特許請求の範囲】
【請求項１】
第１基板、前記第１基板の上方に設けられた第２基板、および、前記第１基板と前記第２基板との間に形成された電気光学層を備え、且つ、表示領域を備えるパネルと、
平面視において前記表示領域の内部に設けられた透明領域と、
平面視において前記透明領域と前記表示領域との間に設けられた額縁領域と、
平面視において前記透明領域と重ならないように、前記パネルの前記第１基板の下方に設けられたバックライトユニットと、
平面視において前記透明領域と重ならないように、前記バックライトユニットの下方に設けられたベゼルと、
平面視において前記透明領域と重なるように、前記パネルの前記第２基板の上方に設けられたカバー部材と、
前記額縁領域において少なくとも前記バックライトユニットの側方を覆い、且つ、前記ベゼルと異なる材料からなるキャップと、
を有する、電気光学装置。
【請求項２】
請求項１に記載の電気光学装置において、
前記透明領域において、前記キャップを介した前記バックライトユニットの側方は、カメラモジュールが搭載されるための領域である、電気光学装置。
【請求項３】
請求項２に記載の電気光学装置において、
前記額縁領域の一部および前記透明領域において、前記第１基板、前記電気光学層および前記第２基板を貫通するように、前記パネルに孔が設けられ、
前記キャップは、前記パネルの側方を覆うように、前記孔内に延在し、
前記額縁領域において、前記第１基板と前記第２基板との間に遮光膜が形成されている、電気光学装置。
【請求項４】
請求項３に記載の電気光学装置において、
前記孔を含む前記パネルの上方に前記カバー部材が設けられ、
前記キャップは、前記バックライトユニットおよび前記パネルの各々の側方を覆う側部と、第１接着層を介して前記カバー部材に接着される上部とを有し、
平面視において、前記キャップの前記上部の幅は、前記キャップの前記側部の幅よりも大きい、電気光学装置。
【請求項５】
請求項２に記載の電気光学装置において、
前記第１基板、前記第２基板および前記電気光学層は、前記額縁領域および前記透明領域においても設けられ、
前記額縁領域において、前記第１基板と前記第２基板との間に遮光膜が形成されている、電気光学装置。
【請求項６】
請求項５に記載の電気光学装置において、
前記パネルは、前記透明領域と重ならないように、前記表示領域および前記額縁領域において、前記第１基板の下方に形成された偏光板を更に有し、
前記キャップは、前記バックライトユニットの側方を覆う側部と、第２接着層を介して前記偏光板に接着される上部とを有し、
平面視において、前記キャップの前記上部の幅は、前記キャップの前記側部の幅よりも大きい、電気光学装置。
【請求項７】
請求項１〜６の何れか１項に記載の電気光学装置において、
前記ベゼルは、前記バックライトユニットの下方を覆う底部、および、前記額縁領域において前記バックライトユニットの側方に設けられ、且つ、前記バックライトユニットと前記キャップとの間に設けられた側部を有する、電気光学装置。
【請求項８】
請求項１〜７の何れか１項に記載の電気光学装置において、
前記キャップは、前記ベゼルの下方にも設けられ、且つ、第３接着層を介して前記ベゼルに接着されている底部を更に有する、電気光学装置。
【請求項９】
請求項２〜６の何れか１項に記載の電気光学装置において、
前記キャップは、第４接着層を介して前記カメラモジュールに接着されている、電気光学装置。
【請求項１０】
請求項１〜８の何れか１項に記載の電気光学装置において、
前記ベゼルは、金属材料からなり、
前記キャップは、可視光を遮光する機能を備えた樹脂材料からなる、電気光学装置。
【請求項１１】
請求項１〜１０の何れか１項に記載の電気光学装置において、
前記電気光学層は、液晶層であり、
前記表示領域において、前記第１基板は、複数のトランジスタを有し、
前記表示領域において、前記第２基板は、複数のカラーフィルタを有する、電気光学装置。
【請求項１２】
第１基板、前記第１基板の上方に設けられた第２基板、および、前記第１基板と前記第２基板との間に形成された電気光学層を備え、且つ、表示領域を備えるパネルと、
前記パネルの前記第１基板の下方に設けられたバックライトユニットと、
前記バックライトユニットの下方に設けられたベゼルと、
を有する電気光学装置と、
カメラモジュールと、
キャップと、
を備えた電子機器であって、
前記パネルは、平面視において、前記表示領域の内部に設けられた第１領域、および、前記表示領域と前記第１領域との間に設けられた第２領域を有し、
平面視において、前記バックライトユニットおよび前記ベゼルは、前記第１領域に重ならず、
平面視において、前記カメラモジュールは、前記第１領域に重なるように前記バックライトユニットの側方に設けられ、
平面視において、前記キャップは、前記カメラモジュールと前記バックライトユニットの前記側方との間に位置するように、前記ベゼル側から前記第２基板側に向けて挿し込まれている、ことを特徴とする電子機器。
【発明の詳細な説明】
【技術分野】
【０００１】
本発明は、電気光学装置に関し、例えば、表示領域内において画素と重ならない透明領域を備えた電気光学装置に関する。または、表示領域内において画素と重ならない透明領域を備えた電気光学装置が組み込まれた電子機器に関する。
【背景技術】
【０００２】
特許文献１には、カバー部材であるガラスにカメラ用の孔を形成し、上記孔の内壁に金属薄膜からなる光学的バリア周辺部を形成する技術が開示されている。
【０００３】
特許文献２には、トランジスタ層である第１基板およびカラーフィルタ層である第２基板に孔を設け、トランジスタ層の一部を上記孔側へ出っ張らせ、この出っ張り部とカバー部材との間に透明なはめ込み層を形成する技術が開示されている。
【０００４】
特許文献３には、カメラモジュールが搭載される孔の近辺に、ゲート電極と同層の金属パターンを形成する技術が開示されている。
【先行技術文献】
【特許文献】
【０００５】
【特許文献１】特開２０１７−１４２４９７号公報
【特許文献２】特開２０１２−９８７２６号公報
【特許文献３】米国特許出願公開第２０１７／０１８７９３４号明細書
【発明の概要】
【発明が解決しようとする課題】
【０００６】
液晶層などを備えたパネルを有する表示装置のような電気光学装置を用いた電子機器において、近年、電気光学装置にカメラモジュールまたはセンサモジュールなどの電子部品が搭載されている。例えばカメラモジュールを備える電気光学装置において、パネルの下方に設けられたバックライトユニットに囲まれる位置に設けられる場合がある。そのため、バックライトユニットから発せられる光が、カメラモジュール側へ漏れることにより、カメラの特性が低下する問題がある。従って、上記のような光漏れを改善することで、電気光学装置の性能を向上させる技術が望まれる。
【０００７】
その他の課題および新規な特徴は、本明細書の記述および添付図面から明らかになる。
【課題を解決するための手段】
【０００８】
一実施の形態である電気光学装置は、第１基板、前記第１基板の上方に設けられた第２基板、および、前記第１基板と前記第２基板との間に形成された電気光学層を備え、且つ、表示領域を備えるパネルを有する。また、電気光学装置は、平面視において前記表示領域の内部に設けられた透明領域と、平面視において前記透明領域と前記表示領域との間に設けられた額縁領域と、平面視において前記透明領域と重ならないように、前記パネルの前記第１基板の下方に設けられたバックライトユニットとを有する。また、電気光学装置は、平面視において前記透明領域と重ならないように前記バックライトユニットの下方に設けられたベゼルと、平面視において前記透明領域と重なるように、前記パネルの前記第２基板の上方に設けられたカバー部材と、前記額縁領域において少なくとも前記バックライトユニットの側方を覆い、且つ、前記ベゼルと異なる材料からなるキャップと、を有する。
【図面の簡単な説明】
【０００９】
【図１】実施の形態１の表示装置を示す底面図である。
【図２】実施の形態１の表示装置を示す断面図である。
【図３】実施の形態１の表示装置を示す要部断面図である。
【図４】実施の形態１のベゼルの形状を示す斜視図である。
【図５】実施の形態１のキャップが取り付けられたベゼルの形状を示す斜視図である。
【図６】実施の形態１の透明領域の周辺構造を示す断面図である。
【図７】変形例１のベゼルの形状を示す斜視図である。
【図８】変形例１の透明領域の周辺構造を示す断面図である。
【図９】実施の形態２のキャップが取り付けられたベゼルの形状を示す斜視図である。
【図１０】実施の形態２の透明領域の周辺構造を示す断面図である。
【図１１】変形例２の透明領域の周辺構造を示す断面図である。
【図１２】実施の形態３の透明領域の周辺構造を示す断面図である。
【図１３】変形例３の透明領域の周辺構造を示す断面図である。
【図１４】実施の形態４の透明領域の周辺構造を示す断面図である。
【図１５】変形例４の透明領域の周辺構造を示す断面図である。
【図１６】実施の形態５の透明領域の周辺構造を示す断面図である。
【図１７】変形例５の透明領域の周辺構造を示す断面図である。
【図１８】実施の形態６のベゼルの形状を示す斜視図である。
【図１９】実施の形態６の透明領域の周辺構造を示す断面図である。
【図２０】変形例６の透明領域の周辺構造を示す断面図である。
【図２１】実施の形態７の透明領域の周辺構造を示す断面図である。
【図２２】変形例７の透明領域の周辺構造を示す断面図である。
【図２３】実施の形態８の透明領域の周辺構造を示す断面図である。
【図２４】変形例８の透明領域の周辺構造を示す断面図である。
【図２５】実施の形態９の透明領域の周辺構造を示す断面図である。
【図２６】変形例９の透明領域の周辺構造を示す断面図である。
【発明を実施するための形態】
【００１０】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は、説明をより明確にするため、実際の態様に比べ、各部の幅、厚さまたは形状等について模式的に表される場合があるが、図面は、あくまで一例であって、本発明の解釈を限定するものではない。また、本明細書および各図面において、既出の図に関して前述したものと同様の要素には、同一または関連する符号を付して、詳細な説明を適宜省略することがある。
【００１１】
（実施の形態１）
以下に、液晶層のような電気光学層を備えたパネルを有する電気光学装置として、表示領域に種々の画像を表示させる表示装置について説明する。なお、本実施の形態では、主にスマートフォンまたはタブレット端末機器などに使用される表示装置について説明するが、電気光学装置としては、車のルームミラーなどに使われる光の透過を制御するためのシャッター液晶素子なども含まれる。
【００１２】
また、液晶層を備えた表示装置は、液晶層の液晶分子の配向を変化させるための電界の印加方向により、大きくは以下の２通りに分類される。すなわち、第１の分類として、表示装置の厚さ方向または表示面の面外方向に電界が印加される、所謂、縦電界モードがある。縦電界モードには、例えばＴＮ（Twisted Nematic）モードおよびＶＡ（Vertical Alignment）モードがある。また、第２の分類として、表示装置の平面方向または表示面の面内方向に電界が印加される、所謂、横電界モードがある。横電界モードには、例えばＩＰＳ（In-Plane Switching）モードおよびＩＰＳモードの一つであるＦＦＳ（Fringe Field Switching）モードがある。以下で説明する技術は、縦電界モードおよび横電界モードの何れにも適用できるが、本実施の形態では、横電界モードの表示装置について説明する。
【００１３】
以下に、図１〜図６を用いて、本実施の形態における電気光学装置である表示装置ＤＳＰ１について詳細に説明する。まず、図１〜図３を用いて、表示装置ＤＳＰ１の全体的な構造について説明し、その後、本実施の形態の主な特徴を構成する透明領域ＴＲＡの周辺構造について説明する。また、透明領域ＴＲＡは単純に第１領域と表現してもよい。
【００１４】
＜表示装置ＤＳＰ１の構成＞
図１は、本実施の形態における表示装置ＤＰＳ１を示す底面図であり、パネルＰＮＬの裏面ＢＳ側から見た図である。図１には、表示装置ＤＳＰ１が備えるパネルＰＮＬの大まかなレイアウトが示されている。
【００１５】
図１に示されるように、パネルＰＮＬは、表示装置ＤＳＰ１の外部から供給される入力信号に応じて画像が形成される表示領域ＤＡ、および、平面視において表示領域ＤＡの周辺に位置する非表示領域ＮＤＡを有する。表示領域ＤＡは、表示装置ＤＳＰ１の表示面を見た場合、平面視において、表示装置ＤＳＰ１が画像を表示する有効領域である。
【００１６】
図１では、平面視における表示領域ＤＡと非表示領域ＮＤＡとの境界が二点鎖線で示されている。表示領域ＤＡは、図２などに示される液晶層（電気光学層）ＬＱが形成される領域であり、平面視において、表示領域ＤＡは非表示領域ＮＤＡに囲まれている。言い換えれば、非表示領域ＮＤＡは、液晶層ＬＱが形成されていない領域である。なお、図１に示される表示領域ＤＡは四角形であるが、表示領域ＤＡは、多角形または円形など、四角形以外の形状であってもよい。
【００１７】
非表示領域ＮＤＡは、表示領域ＤＡに隣接する周辺領域ＰＦＡを有する。周辺領域ＰＦＡは、表示装置ＤＳＰ１の外部に配置された配線板（フレキシブル配線板）ＦＷＢ、および、図２に示される回路基板ＣＢなどに電気的に接続されている。
【００１８】
また、後で図２などを用いて説明するが、パネルＰＮＬの主な構造体である基板ＳＵＢ１および基板ＳＵＢ２は、例えばガラス基板であるが、可撓性を有する樹脂基板であってもよい。配線板ＦＷＢおよび回路基板ＣＢなどはバックライトユニットＢＬＵの裏側へ折り曲げられている。このため、表示領域ＤＡに対する法線方向（Ｚ方向）から見た平面視において、配線板ＦＷＢおよび回路基板ＣＢは実際には視認されない。
【００１９】
また、図１では、平面視において、シール材（接着材）ＳＬＭが配置される領域（シール領域）にドットパターンを付している。シール材ＳＬＭは、表示領域ＤＡの周囲を囲むように、周辺領域ＰＦＡの一部を含む非表示領域ＮＤＡに形成されており、表示領域ＤＡには形成されていない。
【００２０】
また、表示領域ＤＡにおいて、複数のゲート線（走査線）ＧＬがＸ方向（列方向）に延在し、複数のソース線（信号線、映像信号線）ＳＬがＹ方向（行方向）に延在している。複数のゲート線ＧＬは、Ｙ方向において互いに間隔を空けて配列（行配列）され、複数のソース線ＳＬは、Ｘ方向において互いに間隔を空けて配列（列配列）されている。各々のゲート線ＧＬと各々のソース線ＳＬとが交差する位置が、画素ＰＸが形成される領域となる。共通電極ＣＥは、配線板ＦＷＢに形成された共通電極駆動回路に電気的に接続されている。共通電極ＣＥには、表示期間内において、複数の画素ＰＸに対して共通の駆動電位が供給される。
【００２１】
複数のゲート線ＧＬは、表示領域ＤＡの外側の非表示領域ＮＤＡに引き出され、ゲート駆動回路（走査線駆動回路）ＧＤに接続される。複数のソース線ＳＬは、表示領域ＤＡの外側の非表示領域ＮＤＡに引き出され、スイッチ回路部ＳＷＳに接続される。ゲート駆動回路ＧＤおよびスイッチ回路部ＳＷＳは、詳細に図示はしないが、パネルＰＮＬ内に形成された配線を介して、配線板ＦＷＢに電気的に接続される。
【００２２】
また、パネルＰＮＬは、平面視において、表示領域ＤＡの内部にある透明領域ＴＲＡと、額縁領域ＦＲＡとを有する。また、透明領域ＴＲＡを上述のように第１領域と表現した場合、額縁領域ＦＲＡは単純に第２領域と表現してもよい。額縁領域ＦＲＡは、平面視において透明領域ＴＲＡを囲み、且つ、表示領域ＤＡと透明領域ＴＲＡとの間に設けられている。また、額縁領域ＦＲＡは後述する遮光膜ＢＭおよび印刷領域（遮光層）ＰＲによって遮光されている。このため、額縁領域ＦＲＡを「遮光領域」と言い換えることもできる。また、本実施の形態では、パネルＰＮＬに図６に示されるような孔ＴＨ１が形成されており、孔ＴＨ１は、平面視において、透明領域ＴＲＡの全体と額縁領域ＦＲＡの一部とに重なる位置に設けられている。図１では、説明の簡略化のため、孔ＴＨ１は、透明領域ＴＲＡに重なる位置に設けられているように図示されている。
【００２３】
額縁領域ＦＲＡの一部および透明領域ＴＲＡは、カメラモジュールＣＡＭ（図６参照）などの部品が表示装置ＤＳＰ１に搭載されるための領域である。表示装置ＤＳＰ１の外部からの可視光がカメラモジュールＣＡＭに入射されるように、透明領域ＴＲＡは、可視光が透過可能な材料によって構成されている。なお、カメラモジュールＣＡＭが搭載される領域には、カメラモジュールＣＡＭの他に、マイクまたはスピーカなどの部品が搭載される場合もある。なお、透明領域ＴＲＡには、本実施の形態において、後述する図６に示されるように、パネルＰＮＬを貫通するような孔ＴＨ１が形成されている。しかし、透明領域ＴＲＡは、後述する図１２に示されるように、パネルＰＮＬを貫通せず、表示領域ＤＡと比較して透過率が高く、カメラモジュールＣＡＭの機能を大きく阻害しない程度に透明な領域を有する領域であっても良い。
【００２４】
図２は、図１に示されるＡ−Ａ線に沿った断面図である。
【００２５】
図２に示されるように、表示領域ＤＡにおいて、パネルＰＮＬは、基板ＳＵＢ１、基板ＳＵＢ１の上方に設けられた基板ＳＵＢ２、および、基板ＳＵＢ１と基板ＳＵＢ２との間に形成された液晶層（電気光学層）ＬＱを有する。基板ＳＵＢ１および基板ＳＵＢ２は、Ｚ方向（厚さ方向）において対向している。液晶層ＬＱは、基板ＳＵＢ１の表面と、基板ＳＵＢ２の裏面とが貼り合わされているシールＳＬＭの内側にある。
【００２６】
本実施の形態におけるパネルＰＮＬは、偏光板（光学素子）ＯＤ１および偏光板（光学素子）ＯＤ２を含む。偏光板ＯＤ１は、基板ＳＵＢ１の下方に設けられ、偏光板ＯＤ２は、基板ＳＵＢ２の上方に設けられている。言い換えれば、偏光板ＯＤ１は、基板ＳＵＢ１の裏面側に設けられ、偏光板ＯＤ２は、基板ＳＵＢ２の表面側に設けられている。偏光板ＯＤ１および偏光板ＯＤ２の各々は、必要に応じて位相差板を含んでもよい。
【００２７】
また、表示領域ＤＡにおいて、基板ＳＵＢ２の表面側がパネルＰＮＬ（表示装置ＤＳＰ１）の表示面側となる。本実施の形態では、パネルＰＮＬの表面は表面ＦＳとして示され、パネルＰＮＬの裏面は裏面ＢＳとして示されている。
【００２８】
パネルＰＮＬの裏面ＢＳの下方には、偏光板ＯＤ１を介してバックライトユニットＢＬＵが設けられている。バックライトユニットＢＬＵは、基板ＳＵＢ１から基板ＳＵＢ２へ向かう方向へ、光を出射する機能を有する。
【００２９】
パネルＰＮＬの表面ＦＳの上方には、表示装置ＤＳＰ１の表示面を覆うように、接着層（光学粘着テープ）ＯＣＡを介してカバー部材ＣＶＭが設けられている。カバー部材ＣＶＭは、パネルＰＮＬを保護するための部材であり、例えばガラスからなる。
【００３０】
非表示領域ＮＤＡにおいて、基板ＳＵＢ１および基板ＳＵＢ２は、シール材ＳＬＭを介して接着されている。シール材ＳＬＭは、基板ＳＵＢ１と基板ＳＵＢ２との間に、液晶層ＬＱとなる液晶を封入するための役割も果たす。
【００３１】
配線板ＦＷＢは、平面視においてバックライトユニットＢＬＵと重なる位置に設けられ、基板ＳＵＢ１に形成された端子ＴＭ１に電気的に接続されている。回路基板ＣＢは、配線板ＦＷＢと同様に、平面視においてバックライトユニットＢＬＵと重なる位置に設けられ、配線板ＦＷＢの内部の配線に電気的に接続されている。
【００３２】
図３は、表示領域ＤＡの一部を拡大した要部断面図であり、表示領域ＤＡにおける基板ＳＵＢ１および基板ＳＵＢ２の内部の詳細な構造を示している。また、以下に説明するゲート線ＧＬ、ソース線ＳＬ、共通電極ＣＥ、コモン信号線ＣＭＬおよび画素電極ＰＥは、実際には異なる断面に形成されている場合もあるが、図３では、Ｚ方向におけるこれらの位置関係を示すことを主旨としている。
【００３３】
まず、パネルＰＮＬのうち、偏光板ＯＤ１の上方に形成されている基板ＳＵＢ１の詳細な構造について説明する。
【００３４】
基板ＳＵＢ１は、可視光が透過する特性を備えた支持基板（絶縁性基板）１０を有する。支持基板１０は、例えばガラス基板である。
【００３５】
支持基板１０上には、無機材料からなる絶縁膜１１が形成されている。絶縁膜１１は、例えば窒化珪素（ＳｉＮ）膜、酸化珪素（ＳｉＯ）膜、酸窒化珪素（ＳｉＯＮ）膜若しくは酸化アルミニウム（ＡｌＯｘ）膜のような単層膜、または、これらを適宜積層させた積層膜である。これらの膜は、水分の浸透を防止する効果があり、バリア膜として機能する。
【００３６】
絶縁膜１１上には、第１導電層としてゲート線ＧＬが形成されている。ゲート線ＧＬは、例えばモリブデン（Ｍｏ）またはタングステン（Ｗ）を主成分とする遮光性を備えた金属膜である。なお、ゲート線ＧＬは、トランジスタのゲート電極に電気的に接続されている。また、ゲート線ＧＬが、トランジスタのゲート電極を構成している場合もある。
【００３７】
絶縁膜１１上には、ゲート線ＧＬを覆うように、無機材料からなる絶縁膜１２が形成されている。絶縁膜１２を構成する材料は、絶縁膜１１と同様である。また、絶縁膜１１と絶縁膜１２との間に、ゲート電極および半導体層などを有するトランジスタが形成されている。
【００３８】
絶縁膜１２上には、第２導電層としてソース線ＳＬが形成されている。ソース線ＳＬは、例えばアルミニウム（Ａｌ）膜、チタン（Ｔｉ）膜および窒化チタン（ＴｉＮ）膜の遮光性を備えた金属膜が積層された積層膜である。なお、ソース線ＳＬは、トランジスタのソース電極に電気的に接続されている。絶縁膜１２上には、ソース線ＳＬを覆うように、有機膜として絶縁膜１３が形成されている。絶縁膜１３は、例えばアクリル樹脂膜であり、感光性樹脂材料からなる。
【００３９】
絶縁膜１３上には、第３導電層としてコモン信号線ＣＭＬが形成されている。コモン信号線ＣＭＬは、後述する共通電極ＣＥに接続され、共通電極ＣＥにコモン電位またはタッチ検出電位を供給するための配線である。コモン信号線ＣＭＬを構成する材料は、ソース線ＳＬと同様である。絶縁膜１３上には、コモン信号線ＣＭＬを覆うように、有機材料からなる絶縁膜１４が形成されている。絶縁膜１４を構成する材料は、絶縁膜１３と同様である。絶縁膜１３および絶縁膜１４は平坦化膜としての役割を担う。
【００４０】
絶縁膜１４上には、第４導電層として共通電極ＣＥが形成されている。共通電極ＣＥは、例えばＩＴＯ（Indium Tin Oxide）またはＩＺＯ（Indium Zinc Oxide）などの透明度が高い導電材料からなり、導電性を有する酸化金属物からなる。共通電極ＣＥは、後述する画素電極ＰＥおよび液晶ＬＱを駆動させるための電極であり、詳細には説明しないが、パネルＰＮＬがタッチパネルを構成する場合に、タッチ検出電極としての機能も備える。絶縁膜１４上には、共通電極ＣＥを覆うように、無機材料からなる絶縁膜１５が形成されている。絶縁膜１５を構成する材料は、絶縁膜１１と同様である。絶縁膜１５は、画素電極ＰＥと共通電極ＣＥとの間の容量絶縁膜である。
【００４１】
絶縁膜１５上には、第５導電層として画素電極ＰＥが形成されている。画素電極ＰＥを構成する材料は、共通電極ＣＥと同様である。また、本実施の形態では、平面視において、複数の画素電極ＰＥは、互いに隣り合う二つのソース線ＳＬの間に位置している。絶縁膜１５上には、画素電極ＰＥを覆うように、有機膜である配向膜ＡＬ１が形成されている。配向膜ＡＬ１は、液晶層ＬＱに含まれる液晶分子の初期配向を揃える機能を備え、例えばポリイミドのような樹脂材料からなる。また、配向膜ＡＬ１は、液晶層ＬＱに接している。
【００４２】
次に、パネルＰＮＬのうち、偏光板ＯＤ２の下方に形成されている基板ＳＵＢ２の詳細な構造について説明する。
【００４３】
基板ＳＵＢ２は、可視光が透過する特性を備えた支持基板（絶縁性基板）２０を有する。支持基板２０は、例えばガラス基板である。
【００４４】
支持基板２０と液晶層ＬＱとの間に、バリア膜ＢＲ、遮光膜（ブラックマトリクス）ＢＭ、カラーフィルタＣＦＲ、カラーフィルタＣＦＧ、カラーフィルタＣＦＢ、平坦化膜ＰＺおよび配向膜ＡＬ２が形成されている。
【００４５】
バリア膜ＢＲは、支持基板２０の裏面全体に形成されている。バリア膜ＢＲは、無機材料からなり、例えば窒化珪素、酸化珪素、酸窒化珪素または酸化アルミニウムのうち少なくとも１つを含む無機膜（無機絶縁膜）である。また、バリア膜ＢＲは、支持基板２０の外部に存在する水分が、支持基板２０の内部に浸透した場合、この水分が、カラーフィルタＣＦＲ、ＣＦＧ、ＣＦＢおよび液晶層ＬＱなどへも浸透することを防止するために設けられている。ただし、基板ＳＵＢ２はバリア膜ＢＲを備えない構造であってもよい。
【００４６】
支持基板２０の裏面側には、バリア膜ＢＲを介して三色のカラーフィルタ（色変換層）が形成されている。本実施の形態では、赤（Ｒ）のカラーフィルタＣＦＲ、緑（Ｇ）のカラーフィルタＣＦＧ、および、青（Ｂ）のカラーフィルタＣＦＢが周期的に配列されている。表示装置ＤＳＰ１では、例えば赤（Ｒ）、緑（Ｇ）および青（Ｂ）の三色の画素を１組とすることで、カラー画像が表示される。基板ＳＵＢ２の複数のカラーフィルタＣＦＲ、ＣＦＧ、ＣＦＢは、基板ＳＵＢ１に形成されている画素電極ＰＥを含む各々の画素ＰＸと、互いに対向する位置に配置されている。なお、カラーフィルタの種類は、赤（Ｒ）、緑（Ｇ）および青（Ｂ）の３色に限定されるものではない。また、本実施の形態のカラーフィルタＣＦＲ、ＣＦＧ、ＣＦＢは、自身を透過する光の波長を変化させることができる色変換層も含む。
【００４７】
また、複数のカラーフィルタＣＦＲ、ＣＦＧ、ＣＦＢの各々の境界に、遮光膜ＢＭが配置される。遮光膜ＢＭは、例えば黒色の樹脂または低反射性を有する金属からなる。遮光膜ＢＭは、平面視において、例えば表示領域ＤＡにおいて格子状に形成されている。言い換えれば、遮光膜ＢＭは、Ｘ方向およびＹ方向に延在していており、平面視において画素電極ＰＥと重なる位置に開口部を有する。このように、各画素ＰＸを遮光膜ＢＭで区画することにより、カラーフィルタＣＦＲ、ＣＦＧ、ＣＦＢの各々において、光漏れおよび混色の発生を抑制することができる。一般的に、遮光膜ＢＭの開口部のうち、最も周縁部側に形成された開口部の端部が、表示領域ＤＡと非表示領域ＮＤＡとの境界として規定される。また、後で説明するが、遮光膜ＢＭは、額縁領域ＦＲＡにも形成されているが、額縁領域ＦＲＡおよび非表示領域ＮＤＡにおける遮光膜ＢＭは、格子形状ではない。
【００４８】
平坦化膜ＰＺは、支持基板２０の裏面側において、カラーフィルタＣＦＲ、ＣＦＧ、ＣＦＢを覆っている。平坦化膜ＰＺは、カラーフィルタＣＦＲ、ＣＦＧ、ＣＦＢから液晶層ＬＱへ不純物が拡散することを防止するための保護膜であり、カラーフィルタと遮光膜の段差を吸収する絶縁膜である。平坦化膜ＰＺは、有機の樹脂材料から形成される。また、平坦化膜ＰＺはオーバーコート膜ともいう。
【００４９】
配向膜ＡＬ２は、液晶層ＬＱに接しており、液晶層ＬＱと平坦化膜ＰＺとの間に形成されている。配向膜ＡＬ２は、配向膜ＡＬ１と同様な材料からなり、配向膜ＡＬ１と同様な機能を有する。
【００５０】
また、上記の構成のうち、支持基板１０、絶縁膜１１〜１５、共通電極ＣＥ、画素電極ＰＥ、配向膜ＡＬ１、配向膜ＡＬ２、平坦化膜ＰＺ、バリア膜ＢＲおよび支持基板２０の各々は、可視光が透過可能な性質を有する。また、上記の構成のうち、ゲート線ＧＬ、ソース線ＳＬ、コモン信号線ＣＭＬおよび遮光膜ＢＭの各々は、可視光が透過できない性質を有する。そのため、透明領域ＴＲＡにおいては、可視光が透過できない性質である金属配線および遮光膜ＢＭが形成されないことが好ましいが、表示領域ＤＡと比較してカメラモジュールＣＡＭの機能が大きく阻害されない場合には、これらが透明領域ＴＲＡの一部に形成されていても良い。
【００５１】
＜透明領域ＴＲＡの周辺の構成＞
図４は、本実施の形態の表示装置ＤＳＰ１で用いられるベゼル（筐体）ＢＺの形状を示す斜視図である。ベゼルＢＺの大部分は、Ｘ軸およびＹ軸で構成される面に平行な底部ＢＺｂで構成されるが、透明領域ＴＲＡの周囲の額縁領域ＦＲＡにおいて、ベゼルＢＺはＺ方向へ屈折しており、この屈折箇所がベゼルＢＺの側部ＢＺｓとして示されている。なお、ここでは図示はしないが、ベゼルＢＺに接着されるフレームなどのような樹脂膜との接着性を高める目的で、ベゼルＢＺの外周、および、ベゼルＢＺの側部ＢＺｓと底部ＢＺｂとが成す角部において、ベゼルＢＺに複数のスリットが設けられていてもよい。
【００５２】
図５は、本実施の形態で用いられるキャップ膜ＣＰの形状を示す斜視図である。キャップ膜ＣＰは、単純にキャップＣＰと表現されてもよい。キャップ膜ＣＰは、ベゼルＢＺに取り付けられた部材である。キャップ膜ＣＰの底部ＣＰｂは、ベゼルＢＺの底部ＢＺｂの一部を覆うように設けられ、キャップ膜ＣＰの側部ＣＰｓは、ベゼルＢＺの側部ＢＺｓを覆うように設けられている。また、キャップ膜ＣＰは、額縁領域ＦＲＡから透明領域ＴＲＡへ向かって延在するような上部ＣＰｔを有する。すなわち、平面視において、キャップ膜ＣＰの上部ＣＰｔの幅は、キャップ膜ＣＰの側部ＣＰｓの幅よりも大きい。キャップ膜ＣＰは、ベゼルＢＺからカバー部材ＣＶＭに向かって挿し込まれる。
【００５３】
図６は、透明領域ＴＲＡの周辺における表示装置ＤＳＰ１の構造を示し、図１、図４および図５に示されるＢ−Ｂ線に沿った断面図である。
【００５４】
図６に示されるように、額縁領域ＦＲＡの一部および透明領域ＴＲＡには、支持基板１０、液晶層ＬＱおよび支持基板２０を貫通する孔ＴＨ１が形成されている。孔ＴＨ１は、図１に示す透明領域ＴＲＡの形状に沿った平面形状を有する。液晶層ＬＱと孔ＴＨ１との間の額縁領域ＦＲＡには、シール材ＳＬＭが配置されおり、シール材ＳＬＭによって、液晶層ＬＱの液晶が孔ＴＨ１内に漏れ出すことを防止できる。
【００５５】
カメラモジュールＣＡＭは、平面視において額縁領域ＦＲＡの一部および透明領域ＴＲＡに重なるように設けられ、本実施の形態において、カメラモジュールＣＡＭは、孔ＴＨ１内に搭載される。
【００５６】
また、接着層ＯＣＡ、偏光板ＯＤ２および偏光板ＯＤ１は、透明領域ＴＲＡにまで延在しないように形成され、それらの側面は、額縁領域ＦＲＡに位置している。透明領域ＴＲＡに偏光板ＯＤ２および偏光板ＯＤ１が配置されていないことで、透明領域ＴＲＡにおける透明性が確保される。
【００５７】
カバー部材ＣＶＭは、孔ＴＨ１を含むパネルＰＮＬの上方に設けられ、透明領域ＴＲＡ、額縁領域ＦＲＡおよび表示領域ＤＡを覆うように設けられている。額縁領域ＦＲＡにおいて、カバー部材ＣＶＭの一部には、例えば黒色のインクからなる印刷領域（遮光層）ＰＲが形成され、基板ＳＵＢ２と基板ＳＵＢ１との間には、例えば黒色の樹脂または低反射性を有する金属からなる遮光膜ＢＭが形成されている。印刷領域ＰＲおよび遮光膜ＢＭの各々は、可視光を遮光する性質を有する。このため、カメラモジュールＣＡＭに設けられているカメラのレンズ内に、透明領域ＴＲＡの周囲からの光が混入されることを防止できる。
【００５８】
バックライトユニットＢＬＵは、平面視において透明領域ＴＲＡに重ならないように、額縁領域ＦＲＡおよび表示領域ＤＡにおいて、パネルＰＮＬの下方に設けられ、ベゼルＢＺの上方に設けられている。バックライトユニットＢＬＵは、ベゼルＢＺの底部ＢＺｂ上に設けられた反射膜ＲＦと、反射膜ＲＦ上に形成された導光層ＬＧＰと、導光層ＬＧＰ上に形成された光学シートとを有する。上記光学シートは、導光層ＬＧＰ上に形成された拡散シートＯＰＳ１と、拡散シートＯＰＳ１上に形成されたプリズムシートＯＰＳ２とを含む。
【００５９】
ここでは図示しないが、表示装置ＤＰＳ１のバックライトユニットＢＬＵの近傍には、レーザーダイオードなどの光源が設けられている。レーザーダイオードから発せられた光は、導光層ＬＧＰの内部を伝搬し、拡散シートＯＰＳ１によって拡散され、より均一な面光源となる。拡散シートＯＰＳ１を通過した光は、プリズムシートＯＰＳ２によって、Ｚ方向に沿う方向に配向される。反射膜ＲＦは、表示装置ＤＰＳ１の輝度を向上させるために、パネルＰＮＬ側とは反対側に出射した光を反射し、反射した光をパネルＰＮＬ側に送り返す機能を有する。
【００６０】
本実施の形態におけるベゼルＢＺは、バックライトユニットＢＬＵの下方を覆う底部ＢＺｂ、および、額縁領域ＦＲＡにおいてバックライトユニットＢＬＵの側方に設けられ、且つ、バックライトユニットＢＬＵとキャップ膜ＣＰとの間に設けられた側部ＢＺｓを有する。ベゼルＢＺは、可視光を遮光する機能を有し、金属材料からなり、例えばステンレス鋼からなる。
【００６１】
キャップ膜ＣＰは、接着テープ（接着層）ＴＰ２を介してベゼルＢＺの底部ＢＺｂに接着された底部ＣＰｂと、バックライトユニットＢＬＵおよびパネルＰＮＬの各々の側方を覆う側部ＣＰｓと、接着テープ（接着層）ＴＰ１を介して、印刷領域ＰＲを含むカバー部材ＣＶＭに接着された上部ＣＰｔと有する。キャップ膜ＣＰは、ベゼルＢＺと異なる材料からなり、例えば黒色のポリカーボネイトまたはアクリル樹脂膜からなる。
【００６２】
＜本実施の形態の表示装置ＤＰＳ１の主な特徴＞
本実施の形態のキャップ膜ＣＰは、ある特定の波長を遮断する機能を有し、ここでは、キャップ膜ＣＰは、可視光を遮光する機能を有し、例えば黒色のアクリル樹脂膜からなる。そして、キャップ膜ＣＰは、額縁領域ＦＲＡにおいてバックライトユニットＢＬＵの側方に設けられ、平面視において透明領域ＴＲＡに重なるように搭載されたカメラモジュールＣＡＭは、キャップ膜ＣＰを介してバックライトユニットＢＬＵの側方に設けられている。このため、バックライトユニットＢＬＵから発せられる光が、カメラモジュールＣＡＭへ漏れることを防止できる。従って、カメラモジュールＣＡＭで生成される画像がより正確となり、より鮮明となるため、表示装置ＤＰＳ１の性能を向上させることができる。
【００６３】
また、本願発明者らの検討によれば、バックライトユニットＢＬＵから漏れる光には、パネルＰＮＬの内部を伝搬する光も含まれることが分かった。特に、図６に示されるように、偏光板ＯＤ１の内部を伝搬する光ＬＩは、パネルＰＮＬの他の部分と比較して減衰し辛く、光ＬＩは、偏光板ＯＤ１の側面まで伝搬し易い。そのような偏光板ＯＤ１の内部を伝搬する光ＬＩが存在していたとしても、本実施の形態では、キャップ膜ＣＰが偏光板ＯＤ１を含むパネルＰＮＬの側方も覆っているので、光ＬＩがカメラモジュールＣＡＭへ漏れることを防止できる。
【００６４】
また、平面視において、キャップ膜ＣＰの上部ＣＰｔの幅は、キャップ膜ＣＰの側部ＣＰｓの幅よりも大きい。このため、キャップ膜ＣＰとカバー部材ＣＶＭとの接着強度を高めることができる。
【００６５】
また、バックライトユニットＢＬＵの側方を覆うように、バックライトユニットＢＬＵとキャップ膜ＣＰとの間には、ベゼルＢＺの側部ＢＺｓが設けられている。従って、バックライトユニットＢＬＵの側方は、キャップ膜ＣＰの側部ＣＰｓだけでなくベゼルＢＺの側部ＢＺｓにも覆われるため、バックライトユニットＢＬＵから発せられる光が、カメラモジュールＣＡＭへ漏れることを更に防止できる。
【００６６】
また、キャップ膜ＣＰを設けずに、ベゼルＢＺの側部ＢＺｓのみでバックライトユニットＢＬＵの側方を覆うことも考えられる。ここで、ベゼルＢＺの側部ＢＺｓは、ベゼルＢＺ（底部ＢＺｂ）の一部を折り曲げ、折り曲げた箇所を引っ張ることで形成される場合が多い。しかしながら、ベゼルＢＺを構成する材料の強度には限界があるので、バックライトユニットＢＬＵおよびパネルＰＮＬの各々の側方を十分に覆うように、ベゼルＢＺの側部ＢＺｓの高さを確保することが難しい。
【００６７】
このような問題に対して、本実施の形態のように、ベゼルＢＺとは別部材であるキャップ膜ＣＰを用いれば、バックライトユニットＢＬＵおよびパネルＰＮＬの各々の側方を容易に覆うことができる。例えば、バックライトユニットＢＬＵおよびパネルＰＮＬの各々のＺ方向における厚さが、製品の仕様などによって変更され、より厚い厚さに変更されたとしても、キャップ膜ＣＰの側部ＣＰｓの高さは容易に変更できる。すなわち、本実施の形態のキャップ膜ＣＰを用いることで、表示装置ＤＰＳ１の設計の自由度を高めることができる。
【００６８】
また、カメラモジュールＣＡＭのサイズは厳密には一定でなく、例えば、製品によってその高さまたはその幅にばらつきが発生している場合もある。そうすると、透明領域ＴＲＡにカメラモジュールＣＡＭを搭載する際に、カメラモジュールＣＡＭがベゼルＢＺまたはパネルＰＮＬに接触し、カメラモジュールＣＡＭの表面が摩耗されるような不具合が発生する場合もある。または、カメラモジュールＣＡＭが透明領域ＴＲＡの下方に搭載されるためのマージンが不足する場合もある。
【００６９】
そこで、本実施の形態のように、ベゼルＢＺよりも柔らかい材料（例えば樹脂膜）からなるキャップ膜ＣＰを設けることで、上述の摩耗する不具合を抑制でき、カメラモジュールＣＡをキャップ膜ＣＰに押し付けることで、カメラモジュールＣＡＭを透明領域ＴＲＡの内部に収めることができる。すなわち、キャップ膜ＣＰを構成する材料の剛性を、ベゼルＢＺを構成する材料の剛性よりも低くすることで、上述の種々の不具合を抑制することができる。
【００７０】
（変形例１）
以下に図７および図８を用いて、実施の形態１における変形例１について説明する。
【００７１】
変形例１では、実施の形態１と比較して、キャップ膜ＣＰの形状は同じであるが、ベゼルＢＺの形状が異なっている。
【００７２】
図７および図８に示されるように、変形例１におけるベゼルＢＺは、底部ＢＺｂを有するが、側部ＢＺｓを有しておらず、バックライトユニットＢＬＵとキャップ膜ＣＰとの間に、ベゼルＢＺの側部ＢＺｓが設けられていない。
【００７３】
このため、カメラモジュールＣＡＭへの光漏れを抑制するという観点において、実施の形態１は変形例１と比較して優れている。しかしながら、変形例１では、ベゼルＢＺの側部ＢＺｓを設けていない分、額縁領域ＦＲＡの幅を小さくすることができる。これにより、図５のキャップ膜ＣＰの口径を、実施の形態１よりも若干広くすることができる。すなわち、変形例１では、額縁領域ＦＲＡの幅を小さくした分、透明領域ＴＲＡの幅を大きくすることができる。従って、カメラモジュールＣＡＭの視野を広げることができ、カメラモジュールＣＡＭの特性を向上させることができる。
【００７４】
または、キャップ膜ＣＰの口径を実施の形態１と同様とし、透明領域ＴＲＡの幅を実施の形態１と同様とし、額縁領域ＦＲＡの幅を小さくした分、表示領域ＤＡの幅を大きくしてもよい。これにより、表示領域ＤＡの全体的な面積を大きくすることができ、画素ＰＸを多く配置することができる。更にこの場合、表示領域ＤＡの幅を大きくすることで、導光層ＬＧＰ、拡散シートＯＰＳ１およびプリズムシートＯＰＳ２の幅を広げ、バックライトユニットＢＬＵの見栄えを良くすることもできる。
【００７５】
（実施の形態２）
以下に図９および図１０を用いて、実施の形態２における電気光学装置である表示装置ＤＳＰ２について説明する。なお、以下では、実施の形態２と実施の形態１との相違点について主に説明する。
【００７６】
実施の形態２では、実施の形態１と比較して、ベゼルＢＺの形状は同じであるが、キャップ膜ＣＰの形状が異なっている。
【００７７】
図９および図１０に示されるように、実施の形態２におけるキャップ膜ＣＰは、底部ＣＰｂおよび側部ＣＰｓを有するが、上部ＣＰｔを有していない。また、図１０では、キャップ膜ＣＰとカバー部材ＣＶＭとの間に接着層ＴＰ１が設けられていないが、この箇所に接着層ＴＰ１が設けられていてもよい。
【００７８】
実施の形態１で説明したように、平面視において、キャップ膜ＣＰの側部ＣＰｓの幅は、キャップ膜ＣＰの上部ＣＰｔの幅よりも小さい。このため、キャップ膜ＣＰとカバー部材ＣＶＭとの接着強度を向上させるという観点において、実施の形態１は実施の形態２と比較して優れている。しかしながら、実施の形態２では、キャップ膜ＣＰの上部ＣＰｔの幅が無くなった分、額縁領域ＦＲＡの幅を小さくすることができる。すなわち、実施の形態２では、実施の形態１と比較して、額縁領域ＦＲＡの幅を小さくした分、透明領域ＴＲＡの幅を更に大きくする、または、表示領域ＤＡの幅を更に大きくすることができる。
【００７９】
（変形例２）
以下に図１１を用いて、実施の形態２における変形例２について説明する。変形例２では、変形例１に関連した技術が用いられている。
【００８０】
変形例２では、実施の形態２と比較して、キャップ膜ＣＰの形状はほぼ同じであるが、ベゼルＢＺの形状が異なっている。すなわち、変形例２において、ベゼルＢＺの形状は図７の形状と同じであり、キャップ膜ＣＰの形状は図９の形状と同じである。
【００８１】
図１１に示されるように、変形例２におけるベゼルＢＺは、底部ＢＺｂを有するが、側部ＢＺｓを有しておらず、バックライトユニットＢＬＵとキャップ膜ＣＰとの間に、ベゼルＢＺの側部ＢＺｓが設けられていない。
【００８２】
このため、カメラモジュールＣＡＭへの光漏れを抑制するという観点において、実施の形態２は変形例２と比較して優れている。しかしながら、ベゼルＢＺの側部ＢＺｓを設けていない分、額縁領域ＦＲＡの幅を小さくすることができる。すなわち、変形例２では、実施の形態２と比較して、額縁領域ＦＲＡの幅を更に小さくした分、透明領域ＴＲＡの幅を更に大きくする、または、表示領域ＤＡの幅を更に大きくすることができる。
【００８３】
（実施の形態３）
以下に図１２を用いて、実施の形態３における電気光学装置である表示装置ＤＳＰ３について説明する。なお、以下では、実施の形態３と実施の形態１との相違点について主に説明する。
【００８４】
実施の形態３では、パネルＰＮＬに、実施の形態１で説明した孔ＴＨ１が形成されていない。なお、実施の形態３において、ベゼルＢＺの形状は、ベゼルＢＺの高さを除き、図４の形状と同じであり、キャップ膜ＣＰの形状は、キャップ膜ＣＰの高さを除き、図５の形状とほぼ同じである。
【００８５】
図１２に示されるように、実施の形態３では、表示領域ＤＡ、額縁領域ＦＲＡおよび透明領域ＴＲＡに亘って、偏光板ＯＤ１および偏光板ＯＤ２を除くパネルＰＮＬが設けられている。また、透明領域ＴＲＡにおいて、基板ＳＵＢ２とカバー部材ＣＶＭとの間には、接着層ＯＣＡ設けられている。しかしながら、透明領域ＴＲＡのパネルＰＮＬには、ゲート線ＧＬ、ソース線ＳＬ、コモン信号線ＣＭＬ、遮光膜ＢＭおよびトランジスタのような、可視光が透過できない材料からなる構造物が形成されていない。
【００８６】
言い換えれば、透明領域ＴＲＡにおけるパネルＰＮＬには、可視光が透過可能な材料からなる構造物が形成されている。例えば、透明領域ＴＲＡにおけるパネルＰＮＬは、支持基板１０、絶縁膜１１〜１５、共通電極ＣＥ、画素電極ＰＥ、配向膜ＡＬ１、配向膜ＡＬ２、平坦化膜ＰＺ、バリア膜ＢＲおよび支持基板２０のうち、全部または一部の構造物を含む。
【００８７】
透明領域ＴＲＡにおけるパネルＰＮＬが、上記の構造体により構成されているので、表示装置ＤＰＳ３の外部からの光は、カメラモジュールＣＡＭに入射できる。
【００８８】
また、実施の形態３では、透明領域ＴＲＡのパネルＰＮＬに孔ＴＨ１が形成されていないので、実施の形態１と比較して、透明領域ＴＲＡの周辺における表示装置ＤＰＳ３の強度を高めることができる。
【００８９】
また、額縁領域ＦＲＡにおいて、キャップ膜ＣＰの上部ＣＰｔは、接着層ＴＰ１を介してパネルＰＮＬに接着されている。平面視において、キャップ膜ＣＰの上部ＣＰｔの幅は、キャップ膜ＣＰの側部ＣＰｓの幅よりも大きい。このため、キャップ膜ＣＰとパネルＰＮＬとの接着強度を高めることができる。
【００９０】
なお、図１２では、キャップ膜ＣＰの上部ＣＰｔは、パネルＰＮＬのうち偏光板ＯＤ１に接着されている場合を例示しているが、偏光板ＯＤ１の側面をキャップ膜ＣＰの側部ＣＰｓよりも表示領域ＤＡ側へ設けることで、キャップ膜ＣＰの上部ＣＰｔが、接着層ＴＰ１を介して、パネルＰＮＬのうち基板ＳＵＢ１に接着されていてもよい。この場合、実施の形態１の図６で説明したように、偏光板ＯＤ１の内部を伝搬する光ＬＩが存在していたとしても、偏光板ＯＤ１を含むパネルＰＮＬの側方がキャップ膜ＣＰによって覆われるので、光ＬＩがカメラモジュールＣＡＭへ漏れることを更に防止できる。
【００９１】
また、実施の形態３では、実施の形態１と比較して、キャップ膜ＣＰの側部ＣＰｓのＺ方向における高さが低い。このため、キャップ膜ＣＰの製造が容易となり、更に、キャップ膜ＣＰを構成する材料のコストを削減することができる。
【００９２】
（変形例３）
以下に図１３を用いて、実施の形態３における変形例３について説明する。変形例３では、変形例１および変形例２に関連した技術が用いられている。
【００９３】
変形例３では、実施の形態３と比較して、キャップ膜ＣＰの形状はほぼ同じであるが、ベゼルＢＺの形状が異なっている。すなわち、変形例３において、ベゼルＢＺの形状は図７の形状と同じであり、キャップ膜ＣＰの形状は、キャップ膜ＣＰの高さを除き、図５の形状とほぼ同じである。
【００９４】
図１３に示されるように、変形例３におけるベゼルＢＺは、底部ＢＺｂを有するが、側部ＢＺｓを有しておらず、バックライトユニットＢＬＵとキャップ膜ＣＰとの間に、ベゼルＢＺの側部ＢＺｓが設けられていない。
【００９５】
このため、カメラモジュールＣＡＭへの光漏れを抑制するという観点において、実施の形態３は変形例３と比較して優れている。しかしながら、ベゼルＢＺの側部ＢＺｓを設けていない分、額縁領域ＦＲＡの幅を小さくすることができる。すなわち、変形例３では、実施の形態３と比較して、額縁領域ＦＲＡの幅を更に小さくした分、透明領域ＴＲＡの幅を更に大きくする、または、表示領域ＤＡの幅を更に大きくすることができる。
【００９６】
（実施の形態４）
以下に図１４を用いて、実施の形態４における電気光学装置である表示装置ＤＳＰ４について説明する。なお、以下では、実施の形態４と実施の形態３との相違点について主に説明する。
【００９７】
実施の形態４では、実施の形態３と同様に、パネルＰＮＬに孔ＴＨ１が形成されていない。また、実施の形態４では、実施の形態３と比較して、ベゼルＢＺの形状が同じであるが、キャップ膜ＣＰの形状が異なっている。すなわち、実施の形態４において、ベゼルＢＺの形状は図４の形状と同じであり、キャップ膜ＣＰの形状は、キャップ膜ＣＰの高さを除き、図９の形状とほぼ同じである。
【００９８】
図１４に示されるように、実施の形態４におけるキャップ膜ＣＰは、底部ＣＰｂおよび側部ＣＰｓを有するが、上部ＣＰｔを有していない。また、図１４では、キャップ膜ＣＰとパネルＰＮＬとの間に接着層ＴＰ１が設けられていないが、この箇所に接着層ＴＰ１が設けられていてもよい。
【００９９】
このため、キャップ膜ＣＰとパネルＰＮＬとの接着強度を向上させるという観点において、実施の形態３は実施の形態４と比較して優れている。しかしながら、実施の形態４では、キャップ膜ＣＰの上部ＣＰｔの幅が無くなった分、額縁領域ＦＲＡの幅を小さくすることができる。すなわち、実施の形態４では、実施の形態３と比較して、額縁領域ＦＲＡの幅を小さくした分、透明領域ＴＲＡの幅を大きくする、または、表示領域ＤＡの幅を大きくすることができる。
【０１００】
（変形例４）
以下に図１５を用いて、実施の形態４における変形例４について説明する。変形例４では、変形例１〜３に関連した技術が用いられている。
【０１０１】
変形例４では、実施の形態４と比較して、キャップ膜ＣＰの形状はほぼ同じであるが、ベゼルＢＺの形状が異なっている。すなわち、変形例４において、ベゼルＢＺの形状は図７の形状と同じであり、キャップ膜ＣＰの形状は、キャップ膜ＣＰの高さを除き、図９の形状とほぼ同じである。
【０１０２】
図１５に示されるように、変形例４におけるベゼルＢＺは、底部ＢＺｂを有するが、側部ＢＺｓを有しておらず、バックライトユニットＢＬＵとキャップ膜ＣＰとの間に、ベゼルＢＺの側部ＢＺｓが設けられていない。
【０１０３】
このため、カメラモジュールＣＡＭへの光漏れを抑制するという観点において、実施の形態４は変形例４と比較して優れている。しかしながら、ベゼルＢＺの側部ＢＺｓを設けていない分、額縁領域ＦＲＡの幅を小さくすることができる。すなわち、変形例４では、実施の形態４と比較して、額縁領域ＦＲＡの幅を更に小さくした分、透明領域ＴＲＡの幅を更に大きくする、または、表示領域ＤＡの幅を更に大きくすることができる。
【０１０４】
（実施の形態５）
以下に図１６を用いて、実施の形態５における電気光学装置である表示装置ＤＳＰ５について説明する。なお、以下では、実施の形態５と実施の形態１との相違点について主に説明する。
【０１０５】
実施の形態１では、キャップ膜ＣＰがベゼルＢＺに接着されていた。
【０１０６】
実施の形態５では、キャップ膜ＣＰは、接着層（接着テープ）ＴＰ３および接着層（接着テープ）ＴＰ４を介してカメラモジュールＣＡＭに接着されている。すなわち、予めキャップ膜ＣＰが接着されたカメラモジュールＣＡＭを準備し、その後、このカメラモジュールＣＡＭを透明領域ＴＲＡに搭載してもよい。実施の形態５においても、キャップ膜ＣＰに関連した実施の形態１の効果と同様の効果を得ることができる。
【０１０７】
なお、図１６では、キャップ膜ＣＰの上部ＣＰｔが、接着層ＴＰ３を介してカメラモジュールＣＡＭに接着され、キャップ膜ＣＰの底部ＣＰｂが、接着層ＴＰ４を介してカメラモジュールＣＡＭに接着されているが、キャップ膜ＣＰとカメラモジュールＣＡＭとを接着させる手段は、これに限られない。例えば、キャップ膜ＣＰの上部ＣＰｔ、側部ＣＰｓまたは底部ＣＰｂのうち全部または一部のみを、接着層ＴＰ３のような接着層を介してカメラモジュールＣＡＭに接着させてもよい。また、キャップ膜ＣＰの上部ＣＰｔは、図６に示される接着層ＴＰ１を介してカバー部材ＣＶＭに接着されていてもよく、キャップ膜ＣＰの底部ＣＰｂは、図６に示される接着層ＴＰ２を介してベゼルＢＺに接着されていてもよい。
【０１０８】
また、実施の形態５では、バックライトユニットＢＬＵとベゼルＢＺとの間に樹脂膜ＲＺが設けられている。そして、樹脂膜ＲＺは、接着層（接着テープ）ＴＰ５を介してパネルＰＮＬに接着されている。樹脂膜ＲＺは、例えばアクリル樹脂膜からなり、可視光を遮光する機能を備えた黒色の樹脂膜であってもよい。なお、このような樹脂膜ＲＺの形成は必須ではないが、上述の実施の形態１〜４および変形例１〜４の各々に適用されてもよい。
【０１０９】
また、実施の形態５において、キャップ膜ＣＰの形状は、実施の形態１における図５の形状に限られず、実施の形態２における図９の形状であってもよい。
【０１１０】
また、実施の形態５において開示された技術は、実施の形態３および実施の形態４のように、パネルＰＮＬに孔ＴＨ１が設けられていない場合でも適用できる。
【０１１１】
（変形例５）
以下に図１７を用いて、実施の形態５における変形例５について説明する。
【０１１２】
図１７に示されるように、変形例５では、キャップ膜ＣＰの上部ＣＰｔ、側部ＣＰｓおよび底部ＣＰｂのうち、少なくともキャップ膜ＣＰの側部ＣＰｓが形成されていればよい。図１７では、キャップ膜ＣＰが上部ＣＰｔおよび側部ＣＰｓを有する場合が例示されているが、バックライトユニットＢＬＵとカメラモジュールＣＡＭとの間に、少なくともキャップ膜ＣＰの側部ＣＰｓが設けられ、カメラモジュールＣＡＭとキャップ膜ＣＰとが接着されていればよい。
【０１１３】
このように、カメラモジュールＣＡＭにキャップ膜ＣＰを接着させる場合、キャップ膜ＣＰの形状は、実施の形態１〜４で開示された形状に限定されない。
【０１１４】
（実施の形態６）
以下に図１８および図１９を用いて、実施の形態６における電気光学装置である表示装置ＤＳＰ６について説明する。なお、以下では、実施の形態６と実施の形態１との相違点について主に説明する。
【０１１５】
実施の形態１〜５および変形例１〜５では、バックライトユニットＢＬＵから漏れる光を遮光するためにキャップ膜ＣＰを用いたが、実施の形態６では、キャップ膜ＣＰを設けず、主にベゼルＢＺによって、上記光の遮光を行う技術について説明する。
【０１１６】
図１８および図１９に示されるように、実施の形態６におけるベゼルＢＺは、底部ＢＺｂおよび側部ＢＺｓを有するだけでなく、上部ＢＺｔも有する。
【０１１７】
バックライトユニットＢＬＵの側方を覆うように、ベゼルＢＺの側部ＢＺｓが設けられていることにより、バックライトユニットＢＬＵから発せられる光が、カメラモジュールＣＡＭへ漏れることを防止できる。
【０１１８】
実施の形態６では、キャップ膜ＣＰによる種々の効果を得られないが、キャップ膜ＣＰが設けられていない分、額縁領域ＦＲＡの幅を小さくすることができる。すなわち、実施の形態６では、実施の形態１と比較して、額縁領域ＦＲＡの幅を小さくした分、透明領域ＴＲＡの幅を大きくする、または、表示領域ＤＡの幅を大きくすることができる。また、キャップ膜ＣＰを形成するための製造コストを抑制できる。
【０１１９】
また、ベゼルＢＺ、パネルＰＮＬおよびバックライトユニットＢＬＵは、接着層（接着テープ）ＴＰ６によって互いに接着されている。具体的には、ベゼルＢＺの上部ＢＺｔ、偏光板ＯＤ１およびプリズムシート（光学シート）ＯＰＳ２が、接着層ＴＰ６によって互いに接着されている。ここで、平面視において、ベゼルＢＺの上部ＢＺｔの幅は、ベゼルＢＺの側部ＢＺｓの幅よりも大きい。このため、ベゼルＢＺとパネルＰＮＬとの接着強度を高めることができる。
【０１２０】
また、接着層ＴＰ６を構成する材料は、実際には、上部粘着シート、樹脂膜および下部粘着シートなどのような複数の薄膜からなる。ここで、各薄膜に可視光を遮光する機能を備えさせてもよい。例えば、各薄膜に黒色の色素を混ぜることも可能である。この場合、バックライトユニットＢＬＵとパネルＰＮＬとの間から漏れる光を、更に遮光することができる。
【０１２１】
（変形例６）
以下に図２０を用いて、実施の形態６における変形例６について説明する。
【０１２２】
実施の形態６では、ベゼルＢＺの上部ＢＺｔは、接着層ＴＰ６を介して偏光板ＯＤ１に接着されていたが、変形例６では、ベゼルＢＺの上部ＢＺｔは、接着層ＴＰ６を介して基板ＳＵＢ１に接着されている。すなわち、ベゼルＢＺの上部ＢＺｔ、基板ＳＵＢ１およびプリズムシート（光学シート）ＯＰＳ２が、接着層ＴＰ６によって互いに接着されている。
【０１２３】
図２０に示されるように、変形例６では、パネルＰＮＬのうち偏光板ＯＤ１の側面が、ベゼルＢＺの側部ＢＺｓよりも表示領域ＤＡ側に位置している。偏光板ＯＤ１を後退させたスペースにおいて、ベゼルＢＺが延長され、ベゼルＢＺの上部ＢＺｔおよび接着層ＴＰ６が設けられている。従って、偏光板ＯＤ１の側面は、ベゼルＢＺおよび接着層ＴＰ６によって覆われている。なお、変形例６における接着層ＴＰ６も、可視光を遮光する機能を有していてもよい。
【０１２４】
実施の形態１で説明したように、バックライトユニットＢＬＵから漏れる光には、偏光板ＯＤ１の内部を伝搬する光ＬＩが含まれている場合があり、光ＬＩは、偏光板ＯＤ１の側面まで伝搬し易い。一方で、ベゼルＢＺは、可視光を遮光する機能を有する。
【０１２５】
このため、偏光板ＯＤ１の側面が、ベゼルＢＺによって覆われていることで、光ＬＩがカメラモジュールＣＡＭへ漏れることを防止できる。また、接着層ＴＰ６も可視光を遮光する機能を有している場合には、上記の光漏れを更に防止することができる。すなわち、変形例６では、実施の形態６と比較して、上記の光漏れを更に防止することができる。
【０１２６】
（実施の形態７）
以下に図２１を用いて、実施の形態７における電気光学装置である表示装置ＤＳＰ７について説明する。なお、以下では、実施の形態７と実施の形態６との相違点について主に説明する。
【０１２７】
図２１に示されるように、実施の形態７では、パネルＰＮＬの側方を覆うように、ベゼルＢＺからカバー部材ＣＶＭへ亘って、接着層（サイド・グルー）ＳＧＬが設けられている。具体的には、額縁領域ＦＲＡにおいて、ベゼルＢＺの上部ＢＺｔ、接着層ＴＰ６およびパネルＰＮＬの各々の側方を覆うように、ベゼルＢＺおよびカバー部材ＣＶＭの各々に、接着層ＳＧＬが接着されている。接着層ＳＧＬは、例えばグルーガンを用いて額縁領域ＦＲＡに注入でき、可視光を遮光する機能を有していることが好ましく、例えば黒色の色素が混入された接着剤からなることが好ましい。
【０１２８】
額縁領域ＦＲＡの幅を小さくするという観点、および、接着層ＳＧＬを形成するための製造工程数の抑制という観点において、実施の形態６は実施の形態７と比較して優れている。しかしながら、実施の形態７では、光ＬＩが伝搬し易い偏光板ＯＤ１の側面が接着層ＳＧＬによって覆われているので、実施の形態６と比較して、カメラモジュールＣＡＭへの光漏れを更に抑制することができる。
【０１２９】
（変形例７）
以下に図２２を用いて、実施の形態７における変形例７について説明する。変形例７では、変形例６に関連した技術が用いられている。
【０１３０】
図２２に示されるように、変形例７では、実施の形態７と同様に、パネルＰＮＬの側方を覆うように、ベゼルＢＺからカバー部材ＣＶＭへ亘って、接着層ＳＧＬが設けられている。
【０１３１】
そして、変形例７では、パネルＰＮＬのうち偏光板ＯＤ１の側面が、ベゼルＢＺの側部ＢＺｓよりも表示領域ＤＡ側に位置している。すなわち、ベゼルＢＺの上部ＢＺｔ、基板ＳＵＢ１およびプリズムシート（光学シート）ＯＰＳ２が、接着層ＴＰ６によって互いに接着されている。従って、偏光板ＯＤ１の側面は、ベゼルＢＺおよび接着層ＴＰ６によって覆われている。なお、変形例７における接着層ＴＰ６も、可視光を遮光する機能を有していてもよい。
【０１３２】
従って、光ＬＩが伝搬し易い偏光板ＯＤ１の側面が、ベゼルＢＺ、接着層ＴＰ６および接着層ＳＧＬによって覆われているので、変形例７では、実施の形態７と比較して、カメラモジュールＣＡＭへの光漏れを更に抑制することができる。
【０１３３】
（実施の形態８）
以下に図２３を用いて、実施の形態８における電気光学装置である表示装置ＤＳＰ８について説明する。なお、以下では、実施の形態８と実施の形態６との相違点について主に説明する。
【０１３４】
実施の形態８では、透明領域ＴＲＡにおけるパネルＰＮＬには、孔ＴＨ１が形成されておらず、可視光が透過可能な材料からなる構造物が形成されている。例えば、透明領域ＴＲＡにおけるパネルＰＮＬは、支持基板１０、絶縁膜１１〜１５、共通電極ＣＥ、画素電極ＰＥ、配向膜ＡＬ１、配向膜ＡＬ２、平坦化膜ＰＺ、バリア膜ＢＲおよび支持基板２０のうち、全部または一部の構造物を含む。このため、表示装置ＤＰＳ８の外部からの光は、カメラモジュールＣＡＭに入射できる。
【０１３５】
透明領域ＴＲＡのパネルＰＮＬに孔ＴＨ１が形成されていないので、実施の形態８では、実施の形態６の効果に加えて、透明領域ＴＲＡの周辺における表示装置ＤＰＳ８の強度を高めることができる。
【０１３６】
また、実施の形態８では、実施の形態６と比較して、ベゼルＢＺの側部ＢＺｓの高さを低くできるため、ベゼルＢＺを加工して側部ＢＺｓを形成するための製造工程が容易となる。
【０１３７】
（変形例８）
以下に図２４を用いて、実施の形態８における変形例８について説明する。変形例８では、変形例６および変形例７に関連した技術が用いられている。
【０１３８】
図２４に示されるように、変形例７では、パネルＰＮＬのうち偏光板ＯＤ１の側面が、ベゼルＢＺの側部ＢＺｓよりも表示領域ＤＡ側に位置している。すなわち、ベゼルＢＺの上部ＢＺｔ、基板ＳＵＢ１およびプリズムシート（光学シート）ＯＰＳ２が、接着層ＴＰ６によって互いに接着されている。従って、偏光板ＯＤ１の側面は、ベゼルＢＺおよび接着層ＴＰ６によって覆われている。なお、変形例８における接着層ＴＰ６も、可視光を遮光する機能を有していてもよい。
【０１３９】
従って、光ＬＩが伝搬し易い偏光板ＯＤ１の側面が、ベゼルＢＺ、接着層ＴＰ６および接着層ＳＧＬによって覆われているので、変形例８では、実施の形態８と比較して、カメラモジュールＣＡＭへの光漏れを更に抑制することができる。
【０１４０】
（実施の形態９）
以下に図２５を用いて、実施の形態９における電気光学装置である表示装置ＤＳＰ９について説明する。なお、以下では、実施の形態９と実施の形態８との相違点について主に説明する。
【０１４１】
図２５に示されるように、実施の形態９では、実施の形態８と同様に、透明領域ＴＲＡにおけるパネルＰＮＬには、孔ＴＨ１が形成されておらず、可視光が透過可能な材料からなる構造物が形成されている。このため、実施の形態９では、実施の形態８と同様に、表示装置ＤＰＳ９の外部からの光は、カメラモジュールＣＡＭに入射できる。また、透明領域ＴＲＡの周辺における表示装置ＤＰＳ８の強度を高めることができる。また、ベゼルＢＺの側部ＢＺｓを形成するための製造工程が容易となる。
【０１４２】
そして、パネルＰＮＬのうち偏光板ＯＤ１の側方を覆うように、ベゼルＢＺからカバー部材ＣＶＭへ亘って、接着層ＳＧＬが設けられている。光ＬＩが伝搬し易い偏光板ＯＤ１の側面が接着層ＳＧＬによって覆われているので、実施の形態９では、実施の形態８と比較して、カメラモジュールＣＡＭへの光漏れを更に抑制することができる。
【０１４３】
（変形例９）
以下に図２６を用いて、実施の形態９における変形例９について説明する。変形例９では、変形例６〜８に関連した技術が用いられている。
【０１４４】
図２６に示されるように、変形例９では、実施の形態９と同様に、パネルＰＮＬのうち偏光板ＯＤ１の側方を覆うように、ベゼルＢＺからカバー部材ＣＶＭへ亘って、接着層ＳＧＬが設けられている。そして、パネルＰＮＬのうち偏光板ＯＤ１の側面が、ベゼルＢＺの側部ＢＺｓよりも表示領域ＤＡ側に位置している。
【０１４５】
従って、光ＬＩが伝搬し易い偏光板ＯＤ１の側面が、ベゼルＢＺ、接着層ＴＰ６および接着層ＳＧＬによって覆われているので、変形例９では、実施の形態９と比較して、カメラモジュールＣＡＭへの光漏れを更に抑制することができる。
【０１４６】
本発明の思想の範疇において、当業者であれば、各種の変更例および修正例に想到し得るものであり、それら変更例および修正例についても本発明の範囲に属するものと了解される。例えば、上述の各実施の形態に対して、当業者が適宜、構成要素の追加、削除若しくは設計変更を行ったもの、または、工程の追加、省略若しくは条件変更を行ったものも、本発明の要旨を備えている限り、本発明の範囲に含まれる。
【０１４７】
その他、上記実施の形態に記載された内容の一部を以下に記載する。
【０１４８】
［付記１］
第１基板、前記第１基板の上方に設けられた第２基板、および、前記第１基板と前記第２基板との間に形成された電気光学層を備え、且つ、表示領域を備えるパネルと、
平面視において前記表示領域の内部に設けられた透明領域と、
平面視において前記透明領域と前記表示領域との間に設けられた額縁領域と、
平面視において前記透明領域と重なるように、前記パネルの前記第２基板の上方に設けられたカバー部材と、
平面視において前記透明領域と重ならないように、前記パネルの前記第１基板の下方に設けられたバックライトユニットと、
平面視において前記透明領域と重ならないように、前記バックライトユニットの下方に設けられたベゼルと、
を有し、
前記ベゼルは、前記バックライトユニットの下方を覆う底部と、前記額縁領域において前記バックライトユニットの側方に設けられた側部と、前記額縁領域において第１接着層を介して前記パネルに接着された上部とを有し、
平面視において、前記ベゼルの前記上部の幅は前記ベゼルの前記側部の幅よりも大きい、電気光学装置。
【０１４９】
［付記２］
付記１に記載の電気光学装置において、
前記パネルは、前記表示領域および前記額縁領域において、前記第１基板の下方に形成された偏光板を更に有し、
前記バックライトユニットは、前記ベゼルの前記底部上に設けられた反射膜と、前記反射膜上に形成され、且つ、光の伝搬が可能な導光層と、前記導光層上に形成された光学シートとを有し、
前記偏光板、前記ベゼルの前記上部および前記光学シートが、前記第１接着層によって接着されている、電気光学装置。
【０１５０】
［付記３］
付記１に記載の電気光学装置において、
前記パネルは、前記表示領域および前記額縁領域において、前記第１基板の下方に形成された偏光板を更に有し、
前記バックライトユニットは、前記ベゼルの前記底部上に設けられた反射膜と、前記反射膜上に形成され、且つ、光の伝搬が可能な導光層と、前記導光層上に形成された光学シートとを有し、
前記偏光板の側面は、前記ベゼルの前記側部よりも前記表示領域側に位置し、
前記第１基板、前記ベゼルの前記上部および前記光学シートが、前記第１接着層によって接着されている、電気光学装置。
【０１５１】
［付記４］
付記１〜３の何れか１項に記載の電気光学装置において、
前記第１基板、前記第２基板および前記電気光学層は、前記額縁領域および前記透明領域においても設けられ、
前記額縁領域において、前記第１基板と前記第２基板との間に遮光膜が形成されている、電気光学装置。
【０１５２】
［付記５］
付記１〜４の何れか１項に記載の電気光学装置において、
前記額縁領域において、前記ベゼルの前記上部および前記第１接着層の各々の側方を覆うように、前記ベゼルおよび前記第１基板の各々に接着された第２接着層を更に有する、電気光学装置。
【０１５３】
［付記６］
付記１〜３の何れか１項に記載の電気光学装置において、
前記額縁領域の一部および前記透明領域において、前記第１基板、前記電気光学層および前記第２基板を貫通するように、前記パネルに孔が設けられ、
前記額縁領域において、前記第１基板と前記第２基板との間に遮光膜が形成されている、電気光学装置。
【０１５４】
［付記７］
付記６に記載の電気光学装置において、
前記孔を含む前記パネルの上方にカバー部材が設けられ、
前記額縁領域において、前記ベゼルの前記上部、前記第１接着層および前記パネルの各々の側方を覆うように、前記ベゼルおよび前記カバー部材の各々に接着された第３接着層を更に有する、電気光学装置。
【０１５５】
［付記８］
付記１〜７の何れか１項に記載の電気光学装置において、
前記ベゼルは、金属材料からなる、電気光学装置。
【０１５６】
［付記９］
付記１〜８の何れか１項に記載の電気光学装置において、
前記電気光学層は、液晶層であり、
前記表示領域において、前記第１基板は、複数のトランジスタを有し、
前記表示領域において、前記第２基板は、複数のカラーフィルタを有する、電気光学装置。
【産業上の利用可能性】
【０１５７】
本発明は、表示装置のような電気光学装置、または、電気光学装置が組み込まれた電子機器に利用可能である。
【符号の説明】
【０１５８】
１０、２０    支持基板
１１、１２、１５    絶縁膜（無機膜）
１３、１４    絶縁膜（有機膜）
ＡＬ１、ＡＬ２    配向膜
ＢＬＵ    バックライトユニット
ＢＭ    遮光膜
ＢＲ    バリア膜
ＢＳ    裏面
ＢＺ    ベゼル（筐体）
ＢＺｂ    底部
ＢＺｓ    側部
ＢＺｔ    上部
ＣＡＭ    カメラモジュール
ＣＢ    回路基板
ＣＥ    共通電極
ＣＦＢ、ＣＦＧ、ＣＦＲ    カラーフィルタ
ＣＭＬ    コモン信号線
ＣＰ    キャップ膜（キャップ）
ＣＰｂ    底部
ＣＰｓ    側部
ＣＰｔ    上部
ＣＶＭ    カバー部材
ＤＡ    表示領域
ＤＳＰ１〜ＤＳＰ８    表示装置（電気光学装置）
ＦＲＡ    額縁領域
ＦＳ    表面
ＦＷＢ    配線板
ＧＤ    ゲート駆動回路
ＧＬ    ゲート線
ＬＧＰ    導光層
ＬＩ    光
ＬＱ    液晶層（電気光学層）
ＮＤＡ    非表示領域
ＯＣＡ    接着層（光学粘着テープ）
ＯＤ１、ＯＤ２    偏光板（光学素子）
ＯＰＳ１    拡散シート（光学シート）
ＯＰＳ２    プリズムシート（光学シート）
ＰＥ    画素電極
ＰＦＡ    周辺領域
ＰＮＬ    パネル
ＰＲ    印刷領域（遮光層）
ＰＺ    平坦化膜
ＲＦ    反射膜
ＲＺ    樹脂膜
ＳＧＬ    接着層（グルー）
ＳＬ    ソース線
ＳＬＭ    シール材
ＳＵＢ１、ＳＵＢ２    基板
ＳＷＳ    スイッチ回路部
ＴＨ    孔
ＴＭ１    端子
ＴＰ１〜ＴＰ５    接着層（接着テープ）
ＴＲＡ    透明領域
【図１】
2020148793.tif 000003
【図２】
2020148793.tif 000004
【図３】
2020148793.tif 000005
【図４】
2020148793.tif 000006
【図５】
2020148793.tif 000007
【図６】
2020148793.tif 000008
【図７】
2020148793.tif 000009
【図８】
2020148793.tif 000010
【図９】
2020148793.tif 000011
【図１０】
2020148793.tif 000012
【図１１】
2020148793.tif 000013
【図１２】
2020148793.tif 000014
【図１３】
2020148793.tif 000015
【図１４】
2020148793.tif 000016
【図１５】
2020148793.tif 000017
【図１６】
2020148793.tif 000018
【図１７】
2020148793.tif 000019
【図１８】
2020148793.tif 000020
【図１９】
2020148793.tif 000021
【図２０】
2020148793.tif 000022
【図２１】
2020148793.tif 000023
【図２２】
2020148793.tif 000024
【図２３】
2020148793.tif 000025
【図２４】
2020148793.tif 000026
【図２５】
2020148793.tif 000027
【図２６】
2020148793.tif 000028